(57)【特許請求の範囲】
【請求項１】
下方腕部と上方腕部を形成することにより側面略コ字形の本体フレームを形成し、下端に操作棒を係脱自在に連結し得る係合体が設けられたねじ棒を前記下方腕部に垂直に螺合し、該ねじ棒の上端に軸状部を突設し、拡縮自在に形成されたリング体を該軸状部の外周に遊嵌し、該リング体上に受部材を支持し、該リング体と該受部材との対向面を上方に向けて次第に細径となるテーパ状に形成し、該受部材は側方張出部が前記本体フレームに当たることで回転が阻止されるように支持され、前記操作棒を操作して該ねじ棒を回転させることで該受部材を昇降させ、該受部材と前記上方腕部との間にケーブルが挟持されるようにすると共に、ケーブルを挟持した際に該ねじ棒が前記リング体を押圧することで該リング体が前記テーパ状の対向面に沿って縮径され、縮径したリング体によって前記軸状部が締め付けられるようにしたことを特徴とする屋外架空ケーブルへの装着品固定装置。
【請求項２】
リング体と受部材との対向面に該リング体と該受部材との相対的回転を制止する縦筋状の凹凸を形成したことを特徴とする請求項１に記載した屋外架空ケーブルへの装着品固定装置。
【発明の詳細な説明】
【技術分野】
【０００１】
本発明は、送配電線、通信線、電柱支線、その他の空中に架設される屋外架空ケーブルに対し、絶縁性保護管、鳥害防止具、蔓巻防止具、等の装着品を移動不能に固定するための装置に関するものである。
【背景技術】
【０００２】
電柱等により空中に架設された屋外架空ケーブルに対し、周知のように、例えば建築工事中におけるクレーンとの接触、或いは樹木との接触を防ぐための建築支障用防護管等の絶縁性保護管、或いは、野鳥の糞害を防ぐための筒状の鳥害防止具、或いは、蔦などの植物の巻き付きを防ぐための蔓巻防止具、等の装着品がそれぞれ必要に応じて取り付けられる。
これらの装着品は、ケーブルに対し、バインド線を巻き付けたり、ネジを締め付けることにより、台風などの強風によって移動したり、或いは自重によって移動するのを防ぐようにしていた。
【０００３】
しかし、バインド線は現場作業員が強く巻き付けすぎた場合にケーブルの絶縁被覆に食い込んだ状態となり、長期間この状態が継続すると絶縁被覆に微小なクラックが発生し絶縁性を損なうおそれがあり、反対に現場作業員による巻き付けが甘いと、固定力が弱く装着品が移動してしまうという問題がある。
また、ネジ締付による固定は、バインド線よりも固定力が強く、現場作業員によるバラツキが少ないものの、締付力が不足していると、強風によって移動したり、或いは大型トラック等の交通の激しい場所に設けられたものでは、時間経過に伴い振動により締付が緩んで装着品が移動してしまうおそれがあった。
【０００４】
また、下記特許文献１にクランプ構造の固定具が示されている。これは、側面コ字形に形成された本体部材の下方の水平腕部にねじ棒を螺合させ、該ねじ棒の上端に設けられた受部材と上方の水平腕部の間を電線挟持部とし、該ねじ棒の下端に操作棒を係脱自在に係止させる係止碗状体を設けることにより、高所の電線に対し遠隔操作で固定具を止着できるようにしたものであった。
【０００５】
また、下記特許文献２に示された固定具は、特許文献１と同様のクランプ構造の固定具であって、本体部材の内側部に上方に向けて次第に厚みを増すテーパ状突起を設け、ねじ棒を回転し受部材を上昇させるに従い該受部材が該テーパ状突起に接触しその摩擦により該ねじ棒の緩みが防止されるようにしたものであった。
【先行技術文献】
【特許文献】
【０００６】
【特許文献１】特公平７−５９１２７号公報
【特許文献２】特開平９−１４００１６号公報
【発明の概要】
【発明が解決しようとする課題】
【０００７】
しかし、引用文献１に示された固定具は、空中に吊り下げられた固定具のねじ棒を下方から遠隔操作で締め付けるものであるので、十分な締付力が得られないことがあり、緩み防止手段も設けられていないため、やはり振動によって緩み易いという問題があった。
【０００８】
また、引用文献２に示された固定具は、電線の太さが一定であれば緩み防止効果を期待することができるものの、電線が太いと受部材がテーパ状突起に接触せずに緩み防止にならなかったり、反対に細い電線の場合には、受部材がテーパ状突起に当たって止まってしまい、太さの異なる電線を一様に挟持できないという問題があった。
【課題を解決するための手段】
【０００９】
本発明に係る屋外架空ケーブルへの装着品固定装置は、上記問題点を解決しようとするもので、下方腕部と上方腕部を形成することにより側面略コ字形の本体フレームを形成し、下端に操作棒を係脱自在に連結し得る係合体が設けられたねじ棒を前記下方腕部に垂直に螺合し、該ねじ棒の上端に軸状部を突設し、弾性的に拡縮するように形成されたリング体を該軸状部の外周に遊嵌し、該リング体上に受部材を支持し、該リング体と該受部材との対向面を上方に向けて次第に細径となるテーパ状に形成し、該受部材は側方張出部が前記本体フレームに当たることで回転が阻止されるように支持され、前記操作棒を操作して該ねじ棒を回転させることで該受部材を昇降させ、該受部材と前記上方腕部との間にケーブルが挟持されるようにすると共に、ケーブルを挟持した際に該ねじ棒が前記リング体を押圧することで該リング体が前記テーパ状の対向面に沿って縮径され、縮径したリング体によって前記軸状部が締め付けられるようにしたことを特徴とする。
【００１０】
また、本発明は上記屋外架空ケーブルへの装着品固定装置において、リング体と受部材との対向面に該リング体と該受部材との相対的回転を制止する縦筋状の凹凸を形成したことを特徴とする。
【発明の効果】
【００１１】
本発明に係る装着品固定装置によれば、送配電線、通信線、電柱支線、その他の屋外架空ケーブルを強風による揺れや交通の激しい場所の振動によって緩むことなく、しかも太さに拘わりなく確実に挟持できる。このため、絶縁性保護管、鳥害防止具、蔓巻防止具、等の装着品を屋外架空ケーブルに対し長期にわたり移動不能に固定することができる。
【図面の簡単な説明】
【００１２】
【図１】本発明に係る装着品固定装置の正面図。
【図２】本発明に係る装着品固定装置の要部の縦断面図。
【図３】図２のＡ−Ａ線断面矢視図。
【図４】本発明に係る装着品固定装置のリング体の斜視図。
【図５】本発明に係る装着品固定装置の使用状態を示す側面図。
【図６】本発明に係る装着品固定装置の連結部材の斜視図。
【図７】図２の作動状態を示した装着品固定装置の要部の縦断面図。
【図８】本発明に係る装着品固定装置のリング体の他の実施形態を示した斜視図。
【図９】本発明に係る装着品固定装置のリング体の他の実施形態を示した斜視図。
【図１０】本発明に係る装着品固定装置の使用状態を示す側面図。
【図１１】本発明に係る装着品固定装置の使用状態を示す側面図。
【発明を実施するための最良の形態】
【００１３】
図１において、１は幹部２に下方腕部３と上方腕部４を一体に成形することにより側面略コ字形に形成された本体フレーム、５は該下方腕部３に垂直に螺合されたねじ棒である。なお、上方腕部４の下面は後述する屋外架空ケーブル２０の外周面と沿うように円弧面状に形成されている。また、上方腕部４の上面には後述する連結部材２３を取着するための突堤６および小突起７が一体に形成されている。なお、１ａは本体フレーム１の背面上部に形成された補強リブである。また、ねじ棒５の下端には後述する操作棒２７を連結するための下面が開放された碗形の係合体８が設けられている。８ａは該係合体の周壁面に形成された鉤状の係合孔である。また、図２に示したように、ねじ棒５の上端面には同心状に軸状部９が突設され、該軸状部９の先端部は抜止のために少し太径に形成されている。
【００１４】
１０は軸状部９の外周に遊嵌されるリング体で、図４にも示したように、該リング体１０は外周面１１が上方に向けて次第に細径となるテーパ状に形成されていると共に、内周面１２の一部に縦筋状の切溝１３を形成し、該切溝１３と相対する部分に縦スリット状の切目１４を形成することにより、弾性的に拡縮するように形成されている。
【００１５】
また、１５は上面１６が屋外架空ケーブル２０の外周面と沿うように円弧面状に形成された受部材である。該受部材１５の下面部１７の前記リング体１０の外周面１１と相対する内周面１８は該外周面１１と同じく上方に向けて次第に細径となるテーパ状に形成されている。そして、該受部材１５は、該外周面１１と内周面１８とを対向させることにより該リング体１０上に支持される。該受部材１５は、図３に示されるように、両側縁部から水平方向に突出する一対の側方張出部１９が一体に形成され、該側方張出部１９間に本体フレーム１の幹部２が位置するようにリング体１０上に支持されていることから、該受部材１５は水平面内で回転しようとしても、該側方張出部１９が該幹部２に当たることにより、その回転が阻止されるようにしている。
【００１６】
図５は電柱間に架設された屋外架空ケーブル２０の外周に回転式鳥害防止具２１を回転自在に設け、該回転式鳥害防止具２１を本発明に係る装着品固定装置によりケーブル長手方向に移動不能に係留した状況を示す。該回転式鳥害防止具２１は、野鳥が止まるとその野鳥の自重によって回転するため、野鳥をおどかして、野鳥が近づかないようにするもので、複数個の該回転式鳥害防止具２１をそれぞれ回転自在に連結し得るように、該回転式鳥害防止具２１の一端部に先絞袖形状の雌部２２ａが形成され、該回転式鳥害防止具２１の他端部に該雌部中に遊嵌し得る雄部２２ｂが形成されたものである。
【００１７】
２３は該回転式鳥害防止具２１と本発明に係る装着品固定装置とを連結している連結部材である。該連結部材２３は、図６に示したように、主体部２４の下面に前記突堤６が嵌合する溝および前記小突起７が嵌合する小凹部が形成され、該主体部２４の一側縁に横断面が半円弧状の筒部２５が形成され該筒部２５の先端に半円弧鍔状のフック部２６を形成してなるもので、該主体部２４を上方腕部４上に冠着固定し、該フック部２６を前記２２中に遊嵌する。これによって該回転式鳥害防止具２１がケーブル長手方向に移動不能に係留される。また、２７は現場作業員が屋外架空ケーブル２０の下方から遠隔操作し得るように長手に形成された操作棒で、該操作棒の上端部に一対の係合ピン２８が横向きに突設された操作棒で、該操作棒は現場作業員が屋外架空ケーブル２０の下方から遠隔操作し得るように長手のものである。
【００１８】
このように回転式鳥害防止具２１を係留した装着品固定装置は、図５に示したように屋外架空ケーブル２０の上に上方腕部４を載置した状態で、現場作業員が操作棒２７の上端部を前記係合体８に挿入して係合ピン２８を係合孔８ａに係合させ、ねじ棒５を回転することで受部材１５を昇降させ、該受部材１５と上方腕部４との間に該ケーブル２０を挟持する。このとき図７に作動状態を示したように、ねじ棒５の上面がリング体１０を押圧し、該リング体１０が押し上げられる。このため該リング体１０は受部材１５のテーパ状の内周面１８に沿って窄まって縮径し、縮径したリング体１０によって前記軸状部９が締め付けられ、該軸状部９と一体のねじ棒５を回転し難くする。このように屋外架空ケーブル２０を受部材１５と上方腕部４との間に適宜圧力で挟持した状態で、ねじ棒５は、回転し難くなることから緩みを防止することができる。このため、強風や交通の激しい場所における振動等を受けても、しっかりした挟持状態を長期間維持することができる。
【００１９】
なお、この実施形態では、リング体１０の外周面１１と受部材１５の内周面１８とをともにテーパ状にしたが、いずれか一方の対向面だけをテーパ状にしてもリング体１０を押圧力に従い縮径させることができる。
また、図４に示したリング体１０は、切目１４を形成することにより拡縮するようにしたが、図８に示したように、リング体１０の上部を全周に亘って縦割状に形成することで拡縮し得るようにしてもよい。
【００２０】
いずれにしても、本発明に係る装着品固定装置によれば、ケーブルの太さが変わっても支障なく挟持することができるとともに、ねじ棒を回転操作しケーブルを挟持するだけで緩み防止機能が発揮されるので、現場作業員が操作棒によって遠隔操作しても確実な緩み防止がなされ、長期間に亘ってしっかりとした挟持状態を維持することができる。
【００２１】
また、図９に示した実施形態は、図４に示したリング体１０の外周面に縦筋状の凹凸３０を形成するとともに、受部材１５の内周面１８に該凹凸３０が遊嵌する縦筋状の凹凸（図示せず）を形成することにより、リング体１０と受部材１５との相対的回転が制止されるようにしたものである。即ち、リング体１０と受部材１５との対向面にこのような縦筋状の凹凸を形成して該リング体と該受部材との相対的回転が制止されるようにすることにより、屋外架空ケーブル２０を挟着した状態におけるねじ棒５の緩みを一層確実に防止することができる。
【００２２】
なお、図１０は、主体部２４の両側に筒部２５およびフック部２６が形成された連結部材２３Ａを本発明に係る装着品固定装置の上方腕部４上に冠着固定することにより、該装着品固定装置の両側に回転式鳥害防止具２１を移動不能に係留した使用状態を示す。
【産業上の利用可能性】
【００２３】
本発明に係る装着品固定装置は、実施形態として示した鳥害防止具の他、絶縁性保護管、蔓巻防止具、等の装着品を移動不能に固定するのに使用される。本発明に係る装着品固定装置を電柱支線４０に固定することにより、蔓巻防止具４１をずり落ちないように支持した使用状態を図１１に例示する。
【符号の説明】
【００２４】
１      本体フレーム
２      幹部
３      下方腕部
４      上方腕部
５      ねじ棒
８      係合体
９      軸状部
１０    リング体
１１    リング体の外周面
１２    リング体の内周面
１３    切溝
１４    切目
１５    受部材
１８    受部材の内周面
１９    側方張出部
２０    屋外架空ケーブル
２１    回転式鳥害防止具
２３    連結部材
２７    操作棒
３０    凹凸
【図１】
0005277323.tif 000002
【図２】
0005277323.tif 000003
【図３】
0005277323.tif 000004
【図４】
0005277323.tif 000005
【図５】
0005277323.tif 000006
【図６】
0005277323.tif 000007
【図７】
0005277323.tif 000008
【図８】
0005277323.tif 000009
【図９】
0005277323.tif 000010
【図１０】
0005277323.tif 000011
【図１１】
0005277323.tif 000012